(57)【特許請求の範囲】
【請求項１】
容器口部に、注出筒を具えた中栓を嵌着した液注出容器において、
中栓は、相互の接着性が強くない樹脂によって一体成形された外周パーツと、上端に注出筒を設けた内周パーツとからなり、
外周パーツと内周パーツは、嵌着時に接合点が口部上方に位置するように結合されており、外周パーツの下端をこじ開けることによって、内周パーツを残したまま外周パーツと内周パーツを分離するようにしたことを特徴とする液注出容器の中栓。
【請求項２】
容器口部に、注出筒を具えた中栓を嵌着した液注出容器において、
中栓は、相互の接着性が強くない樹脂によって一体成形された内周パーツと外周パーツからなり、
内周パーツは、上端部に注出筒と周縁にフランジを突設した突出縁を連設し、口部内周面に嵌合される内筒を具えており、
外周パーツは、外筒とその上端から内方に突出する上壁とを具え、
上壁の内周面に、前記フランジに係合する係合溝が設けられていることを特徴とする液注出容器の中栓。
【発明の詳細な説明】
【０００１】
【発明の属する技術分野】
本発明は、液注出容器の中栓、とくに分別廃棄を容易にするとともに不正行為の有無を確認できるようにした中栓に関する。
【０００２】
【従来の技術】
容器口部上端部に、注出筒天面にバージンシールを貼着した中栓を被嵌した化粧料、食料用等の液注出容器、例えば、図５に示すような容器は、従来より知られている。
図５において、Ａａは容器、Ｂａは中栓である。
容器の口部ａの上端部は、縮径部ｂとなっており、上端外周には、嵌合突条ｃが突設されている。
【０００３】
中栓Ｂａは、内筒ｄと外筒ｅおよび上壁ｆとを具えており、外筒ｅには、口部ａの嵌合突条ｃに係合する嵌合突条ｇが設けられている。
上壁ｆの中央部には、注出孔を穿孔した注出筒ｈが立設されており、注出筒ｈの天面には、バージンシールｉが貼着されている。
上記液注出容器は、内容物充填後に、容器口部に中栓を打栓し、注出筒天面にバージンシールを貼着することによって容器内部を密封し、外気が容器内部に侵入することを防いで、雑菌の侵入、内容物の酸化などにより内容物が変質しないようにしている。
【０００４】
【発明が解決しようとする課題】
しかしながら、近年、過剰包装の回避、資源の節約が求められ、キャップを被せただけで、その上から密封包装しないで店頭に陳列し、販売されるようになっている。
そうした場合、商品を手に取りキャップを開いて、故意または過失によりバージンシールを剥がしたり、時には、中栓をこじ開け異物を混入するという犯罪的行為すら行われる可能性がある。
【０００５】
そうした不正行為の有無を点検するために、キャップを開いてシールや中栓の嵌合部を観察することが行われるが、中栓がこじ開けられ不正行為が行われた後に再び中栓が被嵌されると、中栓がこじ開けられたか否かを簡単に視認できないという問題点があった。
【０００６】
また、近年、使用後の容器の廃棄にあたっては、資源の再利用のため、異種の樹脂が混入しないよう容器と中栓を分別して廃棄することが求められている。
しかし、上記従来の液注出容器では、中栓の嵌着を強くしており、簡単に取り外すことができなくなっている。
各家庭では、ドライバーやナイフ、その他金属製のへら状物を用い、中栓外筒と容器口部との間に入れ、中栓をこじ開け取り外すようにしているが、それも簡単ではなく、大部分の家庭では、分別しないでそのまま廃棄しているという問題があった。
【０００７】
本発明は、上記の問題点を解決することを課題として、中栓を二つのパーツによって一体成形し、外筒をこじ開けた時に外周のパーツが分離されるようにすることによって、液注出容器の廃棄にあたっては、中栓を容易に取り外すことができ、かつ、店頭陳列時に、故意または過失による不正行為が行われたか否かを簡単に視認判別できるようにした液注出容器の中栓を提供することを目的とする。
【０００８】
【課題を解決するための手段】
本発明は、上記の課題を解決するため、液注出容器の中栓として、容器口部に、注出筒を具えた中栓を嵌着した液注出容器において、中栓は、相互の接着性が強くない樹脂によって一体成形された外周パーツと、上端に注出筒を設けた内周パーツとからなり、外周パーツと内周パーツは、嵌着時に接合点が口部上方に位置するように結合されており、外周パーツの下端をこじ開けることによって、内周パーツを残したまま外周パーツと内周パーツを分離するようにしたことを特徴とする構成を採用する。
【０００９】
具体的実施例として、容器口部に、注出筒を具えた中栓を嵌着した液注出容器において、中栓は、相互の接着性が強くない樹脂によって一体成形された内周パーツと外周パーツからなり、内周パーツは、上端部に注出筒と周縁にフランジを突設した突出縁を連設し、口部内周面に嵌合される内筒を具えており、外周パーツは、外筒とその上端から内方に突出する上壁とを具え、上壁の内周面に、前記フランジに係合する係合溝が設けられていることを特徴とする構成を採用する。
【００１０】
【発明の実施の形態】
次に、本発明の実施形態について、図面を参照して説明する。
図１において、Ａは容器、Ｂは中栓、Ｃはキャップである。
容器Ａは、口部１と胴部２と底部からなり、硬質の合成樹脂またはガラスによって成形され、化粧料、食料液などが収容されている。
中栓Ｂ、キャップＣは、容器Ａと異なる合成樹脂によって成形されている。
【００１１】
図２に示すように、口部１は、上部の嵌合筒部３と、該嵌合筒部３より外方に拡径されたねじ筒部４とからなり、嵌合筒部３内周下端には、係合段部５が形成されている。
ねじ筒部４の外周上端には、段部６が形成され、その下方外周には、ねじ７が螺設されている。
ねじ７の下方には、ネックリング８が突設され、胴部２の肩壁に続いている。
【００１２】
図３に示すように、中栓Ｂは、内周パーツ１０と外周パーツ１１とからなり、内周パーツ１０は、口部１の嵌合筒部３内周に嵌合する内筒１２と、内筒１２の上端に連接された注出筒１３とを具えている。
内筒１２の上端外周には、外方に突出する突出縁１４が連接され、該突出縁１４の外周面には、フランジ１５が突設されている。
内筒１２の下端外周には、口部１の係合段部５の下側に係合する膨出突条１６が設けられている。
【００１３】
注出筒１３は、中央に注出孔１７を穿孔した頂壁１８と円錐筒１９とからなっており、頂壁１８の上面には、図１，２に示すように、バージンシール２０が貼着されている。
【００１４】
外周パーツ１１は、嵌合筒部３の外周に係合する外筒２１と、外筒２１の上端から内方に突出する上壁２２とを具え、上壁２２の内周面２３には、前記フランジ１５が嵌着される係合溝２４が穿設されている。
【００１５】
中栓Ｂの成形にあたっては、外周パーツ１１がインモールド成形によって内周パーツ１０と一体成形されており、樹脂材料として相互間の接着性が強くない樹脂が用いられている。
実施形態では、内周パーツ１０にＰＥ、外周パーツ１１にＰＰを採用しているが、その組合せは、適宜に選択することができる。
【００１６】
また、内筒１２の長さを、外筒２１に比較して大きくとっており、内筒１２の外周と、口部１の嵌合筒部３内周との間の密封性を高めるようにしている。
【００１７】
キャップＣは、図１に示すように、頂壁２５と側周壁２６とからなり、透明または不透明な合成樹脂によって成形されている。
キャップＣの頂壁２５の下面には、注出筒１３の頂壁１８上面を密封するパッキンが保持されており、側周壁２６の内周には、口部１のねじ７に螺合するねじが螺設されている。
【００１８】
次に、本液注出容器の作用効果について説明する。
まずはじめに、中栓の２パーツの分離作用について説明する。
外筒２１の下端と容器口部１の段部６との間に、ドライバー、刃先などへら状物を差し込み、中栓Ｂをこじ開けようとすると、外筒２１を上昇させる力は、内筒１２の突出縁１４に対する曲げモーメントとして作用する。
【００１９】
外周パーツ１１と内周パーツ１０が一体成形されていても相互の接着性は強くなく、外力に対して突出縁１４と上壁２２とは、主として、フランジ１５と係合溝２４の嵌合によって接続されているのである。
曲げモーメントが大きくなると、上壁２２とフランジ１５との嵌合が外れ、図４に示すように、外周パーツ１１が内周パーツ１０から離脱することになる。
【００２０】
外周パーツ１１を離脱させた後にフランジ１５の下にへら状物を差し込み、フランジ１５をこじ開けると、その力は内筒１２を上昇させる力として作用し、中栓Ｂを容易に取り外すことができるのである。
【００２１】
次に、店頭陳列時の不正行為の視認判別について説明する。
本注出容器は、内容物が充填された後に、中栓Ｂが打栓され、バージンシール２０が貼着される。
キャップＣが被蓋された液注出容器は、キャップＣを密封する包装をしないで出荷され、店頭に陳列される。
陳列時に、容器を手に取りキャップＣを開いて、故意または過失によりバージンシール２０を剥がしたり、また、中栓Ｂをこじ開けて取り外したりする不正行為が行われる可能性がある。
【００２２】
しかし、道具を用いて中栓Ｂの外筒２１下端をこじ開けると、前述のように、こじ開けのための力は、突出縁１４と上壁２２との間の曲げモーメントとして作用し、曲げモーメントが大きくなると、フランジ１５と上壁２２の係合溝２４との係合が解かれ、外周パーツ１１が、切り離されることになる。
【００２３】
しかし、いったん取り外された外周パーツ１１を、内周パーツ１０に取り付けることは不可能であり、不正行為が行われた場合には、外側パーツ１１が外されたままになるので、不正行為の有無は、簡単に視認判別することができる。
とくに、キャップＢが透明である場合に、キャップＢの外側から視認できるので、確認が迅速にできる。
【００２４】
使用後の容器の廃棄にあたっては、前述のように、外筒２１下端にへら状体を差し込みこじ開けると、外周パーツ１１がはずれ、次いで、フランジ１５をこじ開けると、内筒１２を取り外すことが容易にでき、容器と中栓Ｂを分別廃棄することができる。
【００２５】
【発明の効果】
本発明は、上記のように構成されているから、次の効果を奏する。
中栓が、外周パーツと内周パーツとを相互の接着性の強くない樹脂によって一体成形したから、外筒をこじ開けることによって、外周パーツを離脱させることができ、中栓の取り外しを容易にするとともに、外周パーツが内周パーツから分離されるから、店頭陳列時の不正行為を視認判別することが簡単にできるようになった。
【図面の簡単な説明】
【図１】本発明液注出容器の斜視図である。
【図２】容器と中栓を説明する一部断面立面図である。
【図３】中栓の説明図で、（ａ）は正面図、（ｂ）は底面図である。
【図４】外周パーツの取り外し時の説明図である。
【図５】  従来例の容器を説明する一部断面立面図である。
【符号の説明】
Ａ、Ａａ      容器
Ｂ、Ｂａ      中栓
Ｃ            キャップ
１、ａ        口部
２            胴部
３            嵌合筒部
４            ねじ筒部
５            係合段部
６            段部
１０          内周パーツ
１１          外周パーツ
１２、ｄ      内筒
１３、ｈ      注出筒
１４          突出縁
１５          フランジ
１６          膨出突条
２０、ｉ      バージンシール
２１、ｅ      外筒
２２          上壁
２４          係合溝
【図１】
0004083380.tif 000002
【図２】
0004083380.tif 000003
【図３】
0004083380.tif 000004
【図４】
0004083380.tif 000005
【図５】
0004083380.tif 000006